(57)【特許請求の範囲】
【請求項１】
アレイ状に配列された画素セルを備え、被写体像を撮像する撮像部と、
被写体からの光を前記撮像部へ取り込む第１の撮像光学系と、
複数の前記画素セルからなる画素ブロックごとに、前記被写体像の一部分に相当する画像片を結像させる第２の撮像光学系と、
前記第１の撮像光学系のフォーカス調整を実施するフォーカス調整部と、
前記撮像部及び前記第１の撮像光学系の間の光路中の前記第２の撮像光学系を機能させかつ前記フォーカス調整部による前記フォーカス調整を停止させる第１の撮像モードと、前記第２の撮像光学系の機能を停止させかつ前記フォーカス調整部による前記フォーカス調整を実施する第２の撮像モードとに、前記第２の撮像光学系及び前記フォーカス調整部の駆動を制御する撮像モード制御部と、
前記撮像部での撮像により得られた画像を格納する記憶部と、を有し、
前記第２の撮像モードから前記第１の撮像モードへ切り換えられたとき、前記フォーカス調整部は、前記第１の撮像光学系の結像面を前記第２の撮像光学系の入射面に合わせるように前記第１の撮像光学系を移動させ、前記記憶部は、前記第１の撮像モードでの撮像により得られた画像を格納し、
前記第１の撮像モードから前記第２の撮像モードへ切り換えられたとき、前記フォーカス調整部は、前記第１の撮像光学系の結像面を前記撮像部の受光面に合わせるように前記第１の撮像光学系を移動させ、前記記憶部は、前記第２の撮像モードでの撮像により得られた画像を格納することを特徴とするカメラモジュール。
【請求項２】
前記第２の撮像光学系は、前記画像片を結像させる複数のレンズ素子をアレイ状に配列させたマイクロレンズアレイを備え、
前記撮像モード制御部は、前記第１の撮像モードにおいて、前記撮像部及び前記第１の撮像光学系の間の光路中である第１の位置に前記マイクロレンズアレイを挿入させ、前記第２の撮像モードにおいて、前記第１の位置から、前記第１の位置以外の第２の位置へ、前記マイクロレンズアレイを移動させることを特徴とする請求項１に記載のカメラモジュール。
【請求項３】
前記第２の撮像光学系は、前記撮像部及び前記第１の撮像光学系の間の光路中に設けられた液晶アレイを備え、
前記液晶アレイは、液晶分子の配向に応じて光の偏向特性が可変とされた複数の液晶素子がアレイ状に配置され、
前記撮像モード制御部は、前記液晶素子への印加電圧の制御により、前記第１の撮像モードでは前記画像片を結像させる偏向機能を有効とし、前記第２の撮像モードでは前記偏向機能を停止させることを特徴とする請求項１に記載のカメラモジュール。
【請求項４】
前記マイクロレンズアレイを前記第１の位置と前記第２の位置とに回動させる回動機構を有することを特徴とする請求項２に記載のカメラモジュール。
【発明の詳細な説明】
【技術分野】
【０００１】
本発明の実施形態は、カメラモジュールに関する。
【背景技術】
【０００２】
近年、複数の視点から被写体を同時に撮影可能とする複眼構成のカメラモジュールが提案されている。カメラモジュールは、複眼構成を使用して撮影された画像群の画像処理により、被写体距離の推定や、画像の繋ぎ合わせによる二次元画像の再構成等を行うことができる。カメラモジュールは、異なる視点による複数の画像から、被写体の奥行き情報が得られる。カメラモジュールは、かかる奥行き情報を利用することで、例えば、リフォーカス等の画像処理を実施する。
【０００３】
カメラモジュールは、オートフォーカス機能を使うことで、簡易な操作によって高解像度の画像を得ることができる。カメラモジュールは、ユーザが所望とする撮影を可能とするために、複眼構成によるリフォーカス機能と、オートフォーカス機構によるオートフォーカス機能とを、ユーザの意向に応じて使い分け可能とすることが望まれる。
【先行技術文献】
【特許文献】
【０００４】
【特許文献１】特開平３−１８４０２５号公報
【発明の概要】
【発明が解決しようとする課題】
【０００５】
本発明の一つの実施形態は、複眼構成によるリフォーカス機能と、オートフォーカス機構によるオートフォーカス機能との使い分けを可能とするカメラモジュールを提供することを目的とする。
【課題を解決するための手段】
【０００６】
本発明の一つの実施形態によれば、カメラモジュールは、撮像部、第１の撮像光学系、第２の撮像光学系、フォーカス調整部及び撮像モード制御部を有する。撮像部は、アレイ状に配列された画素セルを備える。撮像部は、被写体像を撮像する。第１の撮像光学系は、被写体からの光を撮像部へ取り込む。第２の撮像光学系は、画素ブロックごとに画像片を結像させる。画素ブロックは、複数の画素セルからなる。画像片は、被写体像の一部分に相当する。フォーカス調整部は、第１の撮像光学系のフォーカス調整を実施する。撮像モード制御部は、第１の撮像モードと第２の撮像モードとに、第２の撮像光学系及びフォーカス調整部の駆動を制御する。撮像モード制御部は、第１の撮像モードでは、撮像部及び第１の撮像光学系の間の光路中の第２の撮像光学系を機能させ、かつフォーカス調整部によるフォーカス調整を停止させる。撮像モード制御部は、第２の撮像モードでは、第２の撮像光学系の機能を停止させ、かつフォーカス調整部によるフォーカス調整を実施する。第２の撮像光学系は、マイクロレンズアレイを備える。マイクロレンズアレイは、複数のレンズ素子をアレイ状に配列させている。レンズ素子は、画像片を結像させる。撮像モード制御部は、第１の撮像モードにおいて、撮像部及び第１の撮像光学系の間の光路中である第１の位置にマイクロレンズアレイを挿入させる。撮像モード制御部は、第２の撮像モードにおいて、第１の位置から第２の位置へ、マイクロレンズアレイを移動させる。第２の位置は、第１の位置以外の位置である。
【図面の簡単な説明】
【０００７】
【図１】第１の実施形態にかかるカメラモジュールを備えるデジタルカメラの概略構成を示すブロック図。
【図２】第１及び第２レンズモジュール、固体撮像装置及びＩＳＰの構成を示すブロック図。
【図３】イメージセンサのうち入射側における平面模式図。
【図４】第１の撮像モードにおけるメインレンズ、ＭＬＡ及びイメージセンサを示す模式図。
【図５】第２の撮像モードにおけるメインレンズ、ＭＬＡ及びイメージセンサを示す模式図。
【図６】第１の撮像モードにおいてイメージセンサにより生成される画像片についての説明図。
【図７】ＩＳＰによる被写体像の再構成処理についての説明図。
【図８】カメラモジュールのうち撮像光学系及びイメージセンサを含む一部構成の例を示す模式断面図。
【図９】第１の撮像モードにおけるＭＬＡ及びその周辺の要素の、メインレンズ側における平面模式図。
【図１０】第２の撮像モードにおけるＭＬＡ及びその周辺の要素の、メインレンズ側における平面模式図。
【図１１】第２の実施形態にかかるカメラモジュールのレンズモジュール、液晶アレイ、固体撮像装置及びＩＳＰの構成を示すブロック図。
【図１２】第１の撮像モードにおけるメインレンズ、液晶アレイ及びイメージセンサを示す模式図。
【図１３】第２の撮像モードにおけるメインレンズ、液晶アレイ及びイメージセンサを示す模式図。
【発明を実施するための形態】
【０００８】
以下に添付図面を参照して、実施形態にかかるカメラモジュールを詳細に説明する。なお、これらの実施形態により本発明が限定されるものではない。
【０００９】
（第１の実施形態）
図１は、第１の実施形態にかかるカメラモジュールを備えるデジタルカメラの概略構成を示すブロック図である。デジタルカメラ１は、カメラモジュール２及び後段処理部３を有する。
【００１０】
カメラモジュール２は、撮像光学系４及び固体撮像装置５を有する。後段処理部３は、イメージシグナルプロセッサ（image  signal  processor；ＩＳＰ）６、記憶部７及び表示部８を有する。カメラモジュール２は、デジタルカメラ１以外に、例えばカメラ付き携帯端末等の電子機器に適用される。
【００１１】
撮像光学系４は、被写体からの光を取り込み、被写体像を結像させる。撮像光学系４は、後述する第１の撮像光学系及び第２の撮像光学系を含む。固体撮像装置５は、被写体像を撮像し、画像信号を生成する。
【００１２】
ＩＳＰ６は、固体撮像装置５から入力される画像信号の信号処理を実施する。記憶部７は、ＩＳＰ６での信号処理を経た画像を格納する。記憶部７は、ユーザの操作等に応じて、表示部８へ画像信号を出力する。表示部８は、ＩＳＰ６あるいは記憶部７から入力される画像信号に応じて、画像を表示する。表示部８は、例えば、液晶ディスプレイである。
【００１３】
図２は、第１及び第２レンズモジュール、固体撮像装置及びＩＳＰの構成を示すブロック図である。第１レンズモジュール１１は、メインレンズ１３及びモータ１５を有する。メインレンズ１３は、第１の撮像光学系を構成する。メインレンズ１３は、被写体からの光をイメージセンサ２０へ取り込む。モータ１５は、メインレンズ１３のフォーカス調整のための駆動力を供給する。
【００１４】
第２レンズモジュール１２は、マイクロレンズアレイ（ＭＬＡ）１４及びモータ１６を有する。ＭＬＡ１４は、第２の撮像光学系を構成する。ＭＬＡ１４は、複数のレンズ素子をアレイ状に配列させて構成されている。ＭＬＡ１４は、画像片を結像させる。画像片は、被写体像の一部分に相当する。モータ１６は、後述する第１の位置と第２の位置とへＭＬＡ１４を移動させるための駆動力を供給する。
【００１５】
固体撮像装置５は、イメージセンサ２０、撮像処理回路２１、マイクロレンズアレイ（ＭＬＡ）駆動ドライバ２２及びオートフォーカス（ＡＦ）駆動ドライバ２３を有する。イメージセンサ２０は、被写体像を撮像する撮像部である。イメージセンサ２０は、撮像光学系により取り込まれた光をフォトダイオードにおいて信号電荷に変換し、被写体像を撮像する。イメージセンサ２０は、例えば、ＣＭＯＳ（complementary  metal  oxide  semiconductor）イメージセンサである。イメージセンサ２０は、ＣＭＯＳイメージセンサの他、ＣＣＤ（charge  coupled  device）であっても良い。
【００１６】
撮像処理回路２１は、イメージセンサ２０からの画像信号の信号処理を実施する。ＭＬＡ駆動ドライバ２２は、後述する撮像モード制御部２６による制御に応じて、モータ１６を駆動する。
【００１７】
ＡＦ駆動ドライバ２３は、撮像処理回路２１からの信号を使用してピントが合う状態を検出し、モータ１５を駆動する。ＡＦ駆動ドライバ２３及びモータ１５は、第１の撮像光学系のフォーカス調整を実施するフォーカス調整部として機能する。ＡＦ駆動ドライバ２３は、例えば、位相差検出方式及びコントラスト検出方式のいずれかによりフォーカス調整を行う。ＡＦ駆動ドライバ２３は、撮像モード制御部２６による制御に応じて、フォーカス調整の実施及び停止を切り換える。
【００１８】
ＩＳＰ６は、カメラインタフェース（Ｉ／Ｆ）２４、画像取り込み部２５、信号処理回路２７、ドライバインタフェース（Ｉ／Ｆ）２８及び撮像モード制御部２６を有する。カメラＩ／Ｆ２４は、固体撮像装置５からの画像信号の入力を受け付ける。画像取り込み部２５は、カメラＩ／Ｆ２４へ入力された画像信号を取り込む。
【００１９】
信号処理回路２７は、画像取り込み部２５へ取り込まれた画像の信号処理を実施する。ドライバＩ／Ｆ２８は、信号処理回路２７での信号処理を経た画像信号を、記憶部７及び表示部８（図１参照）へ出力する。撮像モード制御部２６は、第１の撮像モードと第２の撮像モードとに、第２の撮像光学系及びフォーカス調整部の駆動を制御する。
【００２０】
図３は、イメージセンサのうち入射側における平面模式図である。イメージセンサ２０は、アレイ状に配列された画素セル３１を備える。各画素セル３１は、フォトダイオード（図示省略）を備える。イメージセンサ２０には、複数の画素セル３１からなる画素ブロック３０が設定されている。画素ブロック３０は、例えば、行方向へ５個、列方向へ５個のアレイ状に配列された２５個の画素セル３１からなる。なお、画素ブロック３０に含まれる画素セル３１の数は、適宜変更可能であるものとする。
【００２１】
図４は、第１の撮像モードにおけるメインレンズ、ＭＬＡ及びイメージセンサを示す模式図である。図５は、第２の撮像モードにおけるメインレンズ、ＭＬＡ及びイメージセンサを示す模式図である。
【００２２】
ＭＬＡ１４を構成するレンズ素子１７は、画素ブロック３０の各々に対応させて設けられている。各レンズ素子１７は、メインレンズ１３によって結像された被写体像を、画像片として結像させる。画像片は、被写体像の一部分に相当する。ＭＬＡ１４は、画素ブロック３０ごとに画像片を結像させる。なお、レンズ素子１７の配列は、正方格子配列、六方細密配列等のいずれであっても良いものとする。
【００２３】
第１の撮像モードにおいて、ＭＬＡ１４は、メインレンズ１３及びイメージセンサ２０の間の光路中に挿入される。第１の撮像モードにおいてＭＬＡ１４が配置される位置を、第１の位置とする。第１の位置は、例えば、第１の撮像モードにおけるメインレンズ１３の結像面の位置である。
【００２４】
第２の撮像モードにおいて、ＭＬＡ１４は、メインレンズ１３及びイメージセンサ２０の間の光路外へ外される。第２の撮像モードにおいてＭＬＡ１４が配置される位置を、第２の位置とする。第２の位置は、第１の位置以外の位置であって、例えば、光軸に垂直な二次元方向へ第１の位置から移動した位置とする。なお、第２の位置は、メインレンズ１３及びイメージセンサ２０の間の光路から外れた位置であればいずれの位置であっても良いものとする。
【００２５】
撮像モード制御部２６は、第２の撮像モードから第１の撮像モードへの切り換えが指示されたとき、第２の位置から第１の位置にＭＬＡ１４を移動させるように、ＭＬＡ駆動ドライバ２２を制御する。撮像モード制御部２６は、メインレンズ１３の結像面を例えばＭＬＡ１４の入射面に合わせるように、ＡＦ駆動ドライバ２３の制御によりメインレンズ１３を移動させる。撮像モード制御部２６は、第１の撮像モードにおいて、ＡＦ駆動ドライバ２３によるフォーカス調整を停止させる。
【００２６】
撮像モード制御部２６は、第１の撮像モードでは、第１の位置にＭＬＡ１４を挿入することでＭＬＡ１４を機能させるとともに、ＡＦ駆動ドライバ２３によるフォーカス調整を停止させる。
【００２７】
撮像モード制御部２６は、第１の撮像モードから第２の撮像モードへの切り換えが指示されたとき、第１の位置から第２の位置にＭＬＡ１４を移動させるように、ＭＬＡ駆動ドライバ２２を制御する。撮像モード制御部２６は、メインレンズ１３の結像面をイメージセンサ２０の受光面に合わせるように、ＡＦ駆動ドライバ２３の制御によりメインレンズ１３を移動させる。撮像モード制御部２６は、第２の撮像モードにおいて、ＡＦ駆動ドライバ２３によるフォーカス調整を実施させる。
【００２８】
撮像モード制御部２６は、第２の撮像モードでは、第１の位置から第２の位置へＭＬＡ１４を退避させることでＭＬＡ１４の機能を停止させるとともに、メインレンズ１３を移動させてからＡＦ駆動ドライバ２３によるフォーカス調整を実施させる。なお、固体撮像装置５は、第１の撮像モードから第２の撮像モードへの切り換え時におけるメインレンズ１３の移動を、撮像モード制御部２６の制御によるものとせず、ＡＦ駆動ドライバ２３によるフォーカス調整によるものとしても良い。
【００２９】
図６は、第１の撮像モードにおいてイメージセンサにより生成される画像片についての説明図である。図７は、ＩＳＰによる被写体像の再構成処理についての説明図である。ここでは、イメージセンサ２０により「ＡＢＣＤ」の文字列を撮像し、被写体像の再構成処理を実施する場合を例とする。
【００３０】
画像片３２として各レンズ素子１７が結像する視野は、メインレンズ１３の結像面においては、視差に応じた重複範囲を持つこととなる。「ＡＢＣＤ」の文字列は、例えば図６に示すように、重複する部分が少しずつ異なるような画像片３２として、イメージセンサ２０で撮像される。
ＩＳＰ６の信号処理回路２７は、重複部分が一致するように画像片３２を繋ぎ合わせることで、被写体像を再構成する。画像片３２は、「Ａ」、「Ｂ」、「Ｃ」、「Ｄ」の各文字がそれぞれ一致するような信号処理により、図７に示すように「ＡＢＣＤ」の文字列を含む被写体像３３へと再構成される。
【００３１】
カメラモジュール２は、複眼構成であるＭＬＡ１４を使用することで、被写体の奥行き情報を取得する。デジタルカメラ１は、被写体の奥行き情報を利用することで、画像のリフォーカスを実施する。デジタルカメラ１は、動きのある被写体を撮影する場合にリフォーカス機能を使うことで、事後的にピント調整を行うことができる。第１の撮像モードは、例えば動画の撮影に適している。
【００３２】
デジタルカメラ１は、リフォーカス機能を使って、例えば、背景等を意図的にぼかすようなボケ表現を画像に加えることができる。画像のリフォーカス処理は、デジタルカメラ１による処理とする他、デジタルカメラ１で撮影された画像を読み込んだコンピュータ等による処理としても良い。
【００３３】
カメラモジュール２は、ＡＦ機能を使うことで、ピントが合った高解像度な画像を撮影と同時に得ることができる。第２の撮像モードは、例えば、静止画の撮影に適している。
【００３４】
第１の実施形態において、カメラモジュール２は、第１の位置と第２の位置とにＭＬＡ１４を可動とし、撮像モードに応じてＭＬＡ１４の位置とフォーカス調整とを制御することで、複眼構成によるリフォーカス機能と、オートフォーカス機構によるオートフォーカス機能とを、ユーザの意向に応じて使い分けることができる。
【００３５】
図８は、カメラモジュールのうち撮像光学系及びイメージセンサを含む一部構成の例を示す模式断面図である。レンズホルダ４１は、メインレンズ１３を構成する各レンズを保持する。ＩＲカットフィルタ４２は、赤外光（ＩＲ）を遮蔽し、可視光を透過させる。
【００３６】
イメージセンサ２０は、フレキシブル基板４６に設けられている。ボンディングワイヤ４４は、フレキシブル基板４６内の電極（図示省略）とイメージセンサ２０とを接続する。外装カバー４３は、フレキシブル基板４６のうちイメージセンサ２０が配置されている部分を覆い、内部に空間を構成する。レンズホルダ４１は、外装カバー４３に形成されている開口に嵌め合わせられている。ＩＲカットフィルタ４２は、かかる開口を外装カバー４３の内側から塞ぐようにして取り付けられている。なお、ＩＲカットフィルタ４２の位置は、被写体からイメージセンサ２０までの光路中であれば良く、適宜変更可能であるものとする。
【００３７】
ＭＬＡ１４は、支持部４８に取り付けられている。支持部４８は、フレキシブル基板４６上に立てられた回動軸４７に接続されている。回動軸４７は、モータ１６（図２参照）の駆動力により回動する。回動軸４７は、支持部４８ごとＭＬＡ１４を回動させる。モータ１６及び回動軸４７は、ＭＬＡ１４を回動させることによって第１の位置と第２の位置とに移動させる回動機構として機能する。
【００３８】
フレキシブル基板４６上に立てられたストッパ４９は、ＭＬＡ１４が第１の位置にあるとき、支持部４８と当接する。モータ１６は、第２の位置から第１の位置へＭＬＡ１４を移動させるとき、支持部４８がストッパ４９に当接するまで回動軸４７を回動させる。
【００３９】
図９は、第１の撮像モードにおけるＭＬＡ及びその周辺の要素の、メインレンズ側における平面模式図である。図１０は、第２の撮像モードにおけるＭＬＡ及びその周辺の要素の、メインレンズ側における平面模式図である。図中、紙面の方向は、撮像光学系の光軸に垂直な平面の方向とする。ＭＬＡ１４は、回動軸４７を中心として、光軸に垂直な平面の方向にて回動可能とされている。
【００４０】
第１の撮像モードでは、ＭＬＡ１４は、ストッパ４９に当接することで、位置が固定されている。第１の撮像モードから第２の撮像モードへの切り換えが指示されると、ＭＬＡ１４は、イメージセンサ２０上の第１の位置から、第２の位置に向かって回動する。ＭＬＡ１４は、第２の位置にて停止する。ＭＬＡ１４が第２の位置にあるとき、ＭＬＡ１４は、イメージセンサ２０上から取り除かれる。
【００４１】
第２の撮像モードから第１の撮像モードへの切り換えが指示されると、ＭＬＡ１４は、第２の位置から第１の位置へ向かって回動する。ＭＬＡ１４は、ストッパ４９に当接する第１の位置にて停止する。
【００４２】
ＭＬＡ１４は、回動機構によって第１の位置と第２の位置とへ移動するものである場合に限られない。ＭＬＡ１４は、いずれの機構によって移動するものであっても良い。ＭＬＡ１４は、回動機構に代えて、例えば、直線方向への移動機構により第１の位置と第２の位置とへ直線移動するものとしても良い。
【００４３】
（第２の実施形態）
図１１は、第２の実施形態にかかるカメラモジュールのレンズモジュール、液晶アレイ、固体撮像装置及びＩＳＰの構成を示すブロック図である。本実施形態にかかるカメラモジュールは、デジタルカメラ１（図１参照）やカメラ付き携帯端末等の電子機器に適用される。第１の実施形態と同一の部分には同一の符号を付し、重複する説明を適宜省略する。
【００４４】
レンズモジュール５１は、メインレンズ１３及びモータ１５を有する。液晶アレイ５２は、メインレンズ１３及びイメージセンサ２０の間の光路中の位置、例えば第１の撮像モードにおけるメインレンズ１３の結像面の位置に設けられている。液晶アレイ５２は、第２の撮像光学系を構成する。液晶アレイ５２は、複数の液晶素子をアレイ状に配置させて構成されている。液晶素子は、液晶分子の配向に応じて光の偏向特性が可変とされている。
【００４５】
固体撮像装置５は、イメージセンサ２０、撮像処理回路２１、ＡＦ駆動ドライバ２３及び液晶駆動ドライバ５３を有する。液晶駆動ドライバ５３は、撮像モード制御部２６による制御に応じて、液晶アレイ５２を駆動する。撮像モード制御部２６は、第１の撮像モードと第２の撮像モードとに、第２の撮像光学系及びフォーカス調整部の駆動を制御する。
【００４６】
図１２は、第１の撮像モードにおけるメインレンズ、液晶アレイ及びイメージセンサを示す模式図である。図１３は、第２の撮像モードにおけるメインレンズ、液晶アレイ及びイメージセンサを示す模式図である。
【００４７】
液晶アレイ５２を構成する液晶素子５４は、画素ブロック３０（図３参照）の各々に対応させて設けられている。撮像モード制御部２６は、各液晶素子５４への印加電圧の制御により、第１の撮像モードでは画像片を結像させる偏向機能を有効とし、第２の撮像モードでは偏向機能を停止させる。
【００４８】
第１の撮像モードにおいて、液晶駆動ドライバ５３は、例えば、液晶アレイ５２への電圧印加を継続する。液晶素子５４は、電圧が印加される間、メインレンズ１３からの光を偏向させる。液晶素子５４は、第１の撮像モードにおいて、画像片を結像させる偏向機能が有効とされる。
【００４９】
第２の撮像モードにおいて、液晶駆動ドライバ５３は、例えば、液晶アレイ５２への電圧印加を停止する。液晶素子５４は、電圧の印加が停止される間、メインレンズ１３からの光を偏向させず、メインレンズ１３から入射したときと同じ方向へ直進させる。液晶素子５４は、第２の撮像モードにおいて、画像片の結像のための偏向機能を停止させる。
【００５０】
撮像モード制御部２６は、第２の撮像モードから第１の撮像モードへの切り換えが指示されたとき、液晶アレイ５２への電圧印加を開始するように、液晶駆動ドライバ５３を制御する。撮像モード制御部２６は、メインレンズ１３の結像面を例えば液晶素子５４の入射面に合わせるように、ＡＦ駆動ドライバ２３の制御によりメインレンズ１３を移動させる。撮像モード制御部２６は、第１の撮像モードにおいて、ＡＦ駆動ドライバ２３によるフォーカス調整を停止させる。
【００５１】
撮像モード制御部２６は、第１の撮像モードでは、液晶アレイ５２へ電圧を印加することで液晶アレイ５２を機能させるとともに、ＡＦ駆動ドライバ２３によるフォーカス調整を停止させる。
【００５２】
撮像モード制御部２６は、第１の撮像モードから第２の撮像モードへの切り換えが指示されたとき、液晶アレイ５２への電圧印加を停止するように、液晶駆動ドライバ５３を制御する。撮像モード制御部２６は、メインレンズ１３の結像面をイメージセンサ２０の受光面に合わせるように、ＡＦ駆動ドライバ２３の制御によりメインレンズ１３を移動させる。撮像モード制御部２６は、第２の撮像モードにおいて、ＡＦ駆動ドライバ２３によるフォーカス調整を実施させる。
【００５３】
撮像モード制御部２６は、第２の撮像モードでは、液晶アレイ５２による画像片の結像のための偏向機能を停止させるとともに、メインレンズ１３を移動させてからＡＦ駆動ドライバ２３によるフォーカス調整を実施させる。なお、固体撮像装置５は、第１の撮像モードから第２の撮像モードへの切り換え時におけるメインレンズ１３の移動を、撮像モード制御部２６の制御によるものとせず、ＡＦ駆動ドライバ２３によるフォーカス調整によるものとしても良い。
【００５４】
液晶素子５４は、電圧の印加が停止される間においてメインレンズ１３からの光を偏向させず、電圧が印加される間においてメインレンズ１３からの光を偏向させるものとしても良い。この場合、液晶駆動ドライバ５３は、第１の撮像モードにおいて液晶アレイ５２への電圧印加を停止し、第２の撮像モードにおいて液晶アレイ５２への電圧印加を継続する。
【００５５】
第２の実施形態において、カメラモジュール２は、液晶アレイ５２を設け、撮像モードに応じて液晶アレイ５２の印加電圧とフォーカス調整とを制御することで、複眼構成によるリフォーカス機能と、オートフォーカス機構によるオートフォーカス機能とを、ユーザの意向に応じて使い分けることができる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
２  カメラモジュール、４  撮像光学系、５  固体撮像装置、１３  メインレンズ、１４  マイクロレンズアレイ、１５、１６  モータ、１７  レンズ素子、２０  イメージセンサ、２２  ＭＬＡ駆動ドライバ、２３  ＡＦ駆動ドライバ、２６  撮像モード制御部、３０  画素ブロック、３１  画素セル、３２  画像片、４７  回動軸、５２  液晶アレイ、５３  液晶駆動ドライバ、５４  液晶素子。
【図１】
0005851320.tif 000002
【図２】
0005851320.tif 000003
【図３】
0005851320.tif 000004
【図４】
0005851320.tif 000005
【図５】
0005851320.tif 000006
【図６】
0005851320.tif 000007
【図７】
0005851320.tif 000008
【図８】
0005851320.tif 000009
【図９】
0005851320.tif 000010
【図１０】
0005851320.tif 000011
【図１１】
0005851320.tif 000012
【図１２】
0005851320.tif 000013
【図１３】
0005851320.tif 000014